(57)【特許請求の範囲】
【請求項１】
隅部および縁部（１７、１８、１９、２０）は丸みをつけることができ、長手方向軸は湾曲させることができる、幅広の前面および背面（１１、１２）と、細く長い側面（１３、１４）および細く短い側面（１５、１６）を有する細く平らな平行六面体形状のハウジング（１０）と、前記ハウジング内の組み込み式アンテナ手段とを備える移動無線装置であって、
前記組み込み式アンテナ手段が、非導電性の接続部分（２３）によって互いに接続されてヨークまたはループ（２５）を形成している２つの個別アンテナ（２１、２２）を備え、前記ヨークまたはループの未接続の端部（２７、２８）が、フィルタを用いて前記移動無線装置の関連する装置部分に接続されており、さらに、
２つのフック（４、５）の形状の充電電極と共に構築されると共に、前記移動無線装置（１）と関連する充電ステーション（３）を備え、前記移動無線装置（１）を前記フックに懸吊すると、前記移動無線装置（１）が、第１のフック（４）上で第１の個別アンテナ（２１）によって支持され、第２のフック（５）上で第２の個別アンテナ（２２）によって支持されるように前記フックが構成されており、未接続の端部（２７、２８）が直流フィルタを介して前記移動無線装置のバッテリに接続されている、移動無線装置。
【請求項２】
前記個別アンテナ（２１、２２）が金属線から成り、第１の金属線（２１）が受信アンテナとして接続され、第２の金属線（２２）が送信アンテナとして接続されている、請求項１に記載の移動無線装置。
【請求項３】
前記ヨークまたはループ（２５）が、前記移動無線装置の上側の前記細く短い側面（１５）をまたぐ、請求項１に記載の移動無線装置。
【請求項４】
前記ヨークまたはループ（２５）が、前記移動無線装置の下側の前記細く短い側面（１６）をまたぎ、マイクロフォン（６）が前記非導電性の接続部分（２３）に組み込まれている、請求項１に記載の移動無線装置。
【請求項５】
前記ヨーク（２５）が、前記ハウジング（１０）の輪郭に従った剛性の枠を形成し、非使用時に前記ハウジングの輪郭内に押し込むことができる、請求項１に記載の移動無線装置。
【請求項６】
前記ループが可撓性であり、非使用時に前記ハウジングの輪郭（１０）内に押し込むことができる、請求項１に記載の移動無線装置。
【請求項７】
前記個別アンテナ（２１、２２）は、その長さが等しくなく、アンテナダイバーシチ用に使用される、請求項１に記載の移動無線装置。
【請求項８】
２つのフック形状の信号導線と共に構築されると共に、前記移動無線装置（１）と関連するスピーカフォンをさらに備え、前記移動無線装置（１）を前記フックに懸吊すると、前記移動無線装置（１）が、第１のフック上で第１の個別アンテナによって支持され、第２のフック上で第２のアンテナによって支持され、かつ未接続である端部（２７、２８）が低周波フィルタを介して前記スピーカフォンに接続されるように、前記フックが構成されている、請求項１に記載の移動無線装置。
【請求項９】
外部アンテナおよび２つのフック（４、５）形状の入力・出力導線を前記移動無線装置（１）に割り当てると共に、前記移動無線装置（１）と関連する送信／受信増幅器をさらに備え、前記移動無線装置を前記フックに懸吊すると、前記移動無線装置が、第１のフックで第１の個別アンテナによって支持され、第２のフックで第２のアンテナによって支持されるように前記フックが構成され、未接続の端部（２７、２８）が、高周波フィルタを介して前記移動無線装置の送信／受信部分と接続されている、請求項１に記載の移動無線装置。
【発明の詳細な説明】
【０００１】
この発明は、請求項１のプリアンブルに記載の移動無線装置に関する。
【０００２】
移動無線装置（携帯電話）では、装置のサイズの縮小化に向かう傾向がある。また、大体において、アンテナは１本だけ使用され、送受信両用に設計されているので、広帯域設計になり、送受信レベルを悪化させることになる。別の問題点は、充電ステーションやスピーカ・フォン装置とのプラグ・コネクタに関するものである。
【０００３】
本発明は、アンテナによって追加の機能を行うことができるように、組み込み式アンテナの付いた移動式通信装置を構成することをその目的としている。この目的は、請求項１の特徴によって達成され、従属する各請求項の特徴によってさらに発展される。
【０００４】
組み込み式アンテナがヨークまたはループとして構成されているので、アンテナは、同時に携帯電話を担持する機能を有することができる。すなわち、携帯電話はアンテナをループのようにして手で運ぶことができ、また、携帯電話はループによってベルトに結び付けることができ、最後に携帯電話はヨークによって、動かないように懸吊することができる。また、アンテナをループまたはヨークとして構築することによって、携帯電話の設計態様にうまく一体化することができる。このことは、移動式通信装置のサイズに対して比較的長いアンテナの受入れに有利である。これによって、現在使用されている周波数でのアンテナの放射特性が改善される。２つの金属部分からアンテナを構築することによって、送信を受信から分離することがさらに可能になり、個別のアンテナをそれぞれ、その使用目的に合わせることができる。最後に、アンテナの２つの金属部分は、充電ステーションまたはスピーカ・フォン用の接点として働き、特に自動車電話と併用して役立つ。
【０００５】
本発明のさらなる詳細は、以下の実施形態の例から明らかになろう。
【０００６】
図１は、本発明による携帯電話１の第１の実施形態を示している。これは、平らで狭い平行六面体のハウジング１０内に組み込まれており、それに応じてハウジングは、前面１１、背面１２、細く長い側面１３、１４および細く短い側面１５、１６を有する。これらの側面の縁部および隅部は、１７〜２０に示すように丸みを帯びている。また、ハウジング１０はそれ自体が、その長手方向軸に沿って湾曲している。２つの金属の電線２１、２２と非導電性の接続部分２３から成るヨーク２５は、縁部１７、１８または隅部を始点または終点とし、したがってループ状に配置される。ハウジング内に定置され、互いには接続されていない金属の電線２１および２２の端部２７、２８は、適切なフィルタを介して移動式通信装置の装置部分（図示せず）に接続されている。
【０００７】
金属の電線２１および２２はそれぞれ、別個の送信アンテナまたは受信アンテナとして働く。送信周波数と受信周波数は同じでないため、電線部片２１および２２の長さは、それに応じて異なるように選択して、個別アンテナ２１および２２をその動作周波数に最適に同調させることができる。したがって、中間部で接続２３を行う必要はない。長さの違う別個の２本のアンテナ２１および２２は、アンテナダイバーシチ用に使用することもできる。受信アンテナを優先アンテナとして接続し、フェージングが生じたとき、送信アンテナへ切り替えを行うことができる。おそらく歩行者による使用中、受信状態がゆっくりと変化するときに、この種の切り替えが極めて有効である。
【０００８】
２つの金属部片２１および２２は、図３および４に示すように、移動無線装置１の充電用導線として使用することもできる。充電装置３は、２つのフック４および５を充電電極として備える。フック４が金属の電線２１と、フック５が金属の電線２２と接触するように、フック上にヨークを配置する。直流フィルタを、金属の電線２１および２２の未接続の端部２７、２８に接続し、移動式無線電話のバッテリに接続する。このようにして、充電装置３から移動無線装置のバッテリに充電電流を導通させる。
【０００９】
金属の電線２１および２２はまた、特に自動車に関連しているスピーカフォンとの接続用に使用することができる。移動無線装置自体に組み込まれたマイクロフォン６を、さらにこの目的で使用する。移動無線装置１を図３に示すように懸吊したとき、低周波信号は、スピーカ７への代わりに電線２１および２２へと切り替えられて、フック４、５を介してスピーカフォンに到達する。このほか、それぞれの周波数をフィルタによって容易に分離することができるので、充電ステーションとスピーカフォン装置を一体化することも可能である。
【００１０】
最後に、金属の電線２１および２２を高周波送受信増幅器への電力供給導線として使用して、たとえば自動車のアンテナなど外部アンテナへ電力供給することも可能である。この場合の動作では、自由なアンテナ２１、２２を介して車両の内部に余分な電力を放射することがないように、移動無線装置の送信電力を低下させることも可能である。
【００１１】
図２は、携帯電話の別の実施形態２を示している。金属の電線２１、２２は、ハウジング１０の下側の縁部１９および２０から出て、マイクロフォンが挿入されている接続部片内２３で出会う。また、アンテナからの放射が頭の近くで起こらないように携帯電話を位置保持して、空間へ放射を有利にし、健康へのリスクを減らすことができる。
【００１２】
すでに述べた利点のほかに、以下のような別の利点を述べることができる。
【００１３】
送信出力を受信入力から分離することによって、移動無線装置の切換え部品のより好ましいレイアウトを可能にする。
【００１４】
アンテナを、充電およびスピーカフォン接点として使用することによって、普通なら携帯電話上にあるプラグ・コネクタをなくすことができる。この場合は、データ転送機能用に、携帯電話上の赤外線インタフェースを使用することになる。
【００１５】
また、部分２１、２２、２３によって形成されたヨークを使用して、たとえば使用者のベルトに吊るして装置を持ち運ぶこともできる。携帯電話は、ヨークによって住居内に懸吊することもできる。
【００１６】
金属の電線は、比較的剛性にすることができ、このように形成された枠をハウジング１０の輪郭から引き出して、操作位置に置いたり、枠を押し戻して、装置をよりコンパクトにすることができる。また、ヨーク２１、２２、２３が可撓性である実施形態も可能であり、そのときは、ハウジング１０の輪郭内に隠すにはヨークの一端を押すだけでよい。
【図面の簡単な説明】
【図１】  アンテナとしてのヨークが上側面に付いている携帯電話の平面図である。
【図２】  ヨークが下側面に付いている携帯電話の平面図である。
【図３】  充電装置内に懸吊された図１の携帯電話を示す図である。
【図４】  携帯電話が懸吊された充電ステーションの側面図である。
【図１】
0004464024.tif 000002
【図２】
0004464024.tif 000003
【図３】
0004464024.tif 000004
【図４】
0004464024.tif 000005